(57)【特許請求の範囲】
【請求項１】
壁面から離間した位置に、支持用の基台を介して取り付けられた照明器具の脱落防止金具であって、
前記基台に取り付けられ、前記照明器具の少なくとも上辺および下辺の対応する位置に設けられており、前記基台から前記照明器具の前面に至る長さを有し、その先端が折り曲げられていることにより前記照明器具を保持する第１部材を備え、
前記第１部材同士を、前記照明器具の背面側で連結する連結具を備える、照明器具用脱落防止金具。
【請求項２】
前記第１部材は、一端に雄ネジが形成され、他端が折り曲げられており、
前記第１部材は、前記基台に固定される、請求項１に記載の照明器具用脱落防止金具。
【請求項３】
前記基台の一部と、前記第１部材とのそれぞれを挟み込む挟持具を備え、前記第１部材は、前記基台の一部を挟み込んだ挟持具に固定されている、請求項１に記載の照明器具用脱落防止金具。
【請求項４】
前記連結具は、両端に雄ネジが形成されたボルトである、請求項１から請求項３のいずれか１項に記載の照明器具用脱落防止金具。
【請求項５】
壁面から離間した位置に、支持用の基台を介して取り付けられた照明器具の脱落防止方法であって、
前記基台から前記照明器具の前面に至る長さを有し、その先端が折り曲げられている第１部材を、前記照明器具の少なくとも上辺および下辺の対応する位置に、前記照明器具を保持するように、前記基台に取り付け、
前記第１部材同士を、前記照明器具の背面側で連結具により連結する、照明器具用脱落防止方法。
【発明の詳細な説明】
【技術分野】
【０００１】
本発明は、照明器具用脱落防止金具および脱落防止方法に関するものである。
【背景技術】
【０００２】
高速道路のトンネル内には、多数の照明器具が、壁面から離間した位置に、支持台を介して取付けられている。支持台は、トンネル壁面に設置されたアンカーボルトに固定されている。照明器具は、前面に透明なパネルを備え、内部に配置された発光源（電球等）を取り替える必要性から、このパネルが取り外せるようになっていることが多く、そのため、照明器具と支持台との取付けは、通常、照明器具の背面で行なわれる（例えば、特許文献１参照）。
【先行技術文献】
【特許文献】
【０００３】
【特許文献１】特開平９−３０６２１２号公報
【発明の概要】
【発明が解決しようとする課題】
【０００４】
こうした照明器具は、支持台に取り付けられているが、脱落する虞があった。これは、上記の様に、照明器具と支持台の取付けが照明器具の背面で行なわれていること、照明器具自体は重量を重くしないことから、比較的薄い金属ケースに収納されていることによっている。照明器具の金属ケースが錆や腐食などにより痛むと、支持台が十分な強度を有してもいても、金属ケースが破損して、器具が脱落することが生じ得る。こうした課題に対して、照明器具の金属ケースの傷みを回避するために、その厚みを厚くすることが考えられるが、そうすると照明器具の重量が増し、壁面から略水平方向に飛び出した支持台との固定箇所に、大きな力がかかってしまい、振動などが加わった場合の破損の可能性を却って高めてしまう。また、既にトンネル内などに配置された多数の照明器具の脱落を防止するために、全ての照明器具を取り替えなくてはならなくなる。
【課題を解決するための手段】
【０００５】
本発明は、上述の課題の少なくとも一部を解決するためになされたものであり、以下の形態又は適用例として実現することが可能である。
本発明の第１の形態は、壁面から離間した位置に、支持用の基台を介して取り付けられた照明器具の脱落防止金具であって、
前記基台に取り付けられ、前記照明器具の少なくとも上辺および下辺の対応する位置に設けられており、前記基台から前記照明器具の前面に至る長さを有し、その先端が折り曲げられていることにより前記照明器具を保持する第１部材を備え、
前記第１部材同士を、前記照明器具の背面側で連結する連結具を備える照明器具用脱落防止金具である。
本発明の第２の形態は、壁面から離間した位置に、支持用の基台を介して取り付けられた照明器具の脱落防止方法であって、
前記基台から前記照明器具の前面に至る長さを有し、その先端が折り曲げられている第１部材を、前記照明器具の少なくとも上辺および下辺の対応する位置に、前記照明器具を保持するように、前記基台に取り付け、
前記第１部材同士を、前記照明器具の背面側で連結具により連結する、照明器具用脱落防止方法である。
【０００６】
（１）本発明の第１の実施形態として、照明器具用脱落防止金具が提供される。この照明器具用脱落防止金具は、壁面から離間した位置に、支持用の基台を介して取付けられた照明器具の脱落防止金具であって、前記基台に取り付けられ、前記照明器具の少なくとも上辺および下辺の対応する位置に設けられており、前記基台から前記照明器具の前面に至る長さを有し、その先端が折り曲げられていることにより前記照明器具を保持する第１部材を備える。
【０００７】
かかる照明器具用脱落防止金具によれば、照明器具の脱落を容易に防止できる。しかも既設の照明器具に対して、簡易にあと施工することができるので、設置から年月が経過して、傷みなどが進行している照明器具の脱落を未然に防ぐことができる。
【０００８】
（２）かかる照明器具用脱落防止金具において、前記第１部材は、一端に雄ネジが形成され、他端が折り曲げられており、前記第１部材は、前記基台に固定してもよい。こうすれば、簡易に設置することができる。
【０００９】
（３）上記照明器具用脱落防止金具において、前記基台の一部と、前記第１部材とのそれぞれを挟み込む挟持具を備え、前記第１部材は、前記基台の一部を挟み込んだ挟持具に固定されていてもよい。こうすれば、照明器具用脱落防止金具を既設の照明器具の基台に容易に取り付けることができる。
【００１０】
（４）こうした照明器具用脱落防止金具において、前記第１部材同士を、前記照明器具の背面側で連結する連結具を備えてもよい。こうすれば、確実に第１部材同士を連結することができる。
【００１１】
（５）前記連結具は、両端に雄ネジが形成されたボルトとして良い。こうすれば、簡易な構成により、確実に両方の第１部材を連結することができる。
【００１２】
（６）本発明の第２の実施形態として、照明器具用脱落防止方法が提供される。かかる方法は、壁面から離間した位置に、支持用の基台を介して取り付けられた照明器具の脱落防止方法であって、前記基台から前記照明器具の前面に至る長さを有し、その先端が折り曲げられている第１部材が、前記照明器具の少なくとも上辺および下辺の対応する位置に、前記照明器具を保持するように、前記基台に取り付ける。こうすれば、照明器具の脱落を容易に防止することができる。
【図面の簡単な説明】
【００１３】
【図１】第１実施形態の照明器具用脱落防止金具の取り付け状態を例示する斜視図。
【図２】第１実施形態の照明器具用脱落防止金具を正面から示す正面図。
【図３】第１実施形態の照明器具用脱落防止金具の側面図。
【図４】第１実施形態の照明器具用脱落防止金具における第１部材の形状を示す説明図。
【図５】第２実施形態の照明器具用脱落防止金具の取り付け状態を示す説明図。
【図６】第２実施形態の照明器具用脱落防止金具の側面図。
【図７】第２実施形態の照明器具用脱落防止金具における挟持具の形状を示す説明図。
【発明を実施するための形態】
【００１４】
Ａ.第１実施形態：
図１は、第１実施形態としての照明器具用脱落防止金具１を照明器具１０に取り付けた状態を示す斜視図である。また、図２は、第１実施形態の照明器具用脱落防止金具１を照明器具１０に取り付けた状態を示す平面図であり、図３は、図２における３−３矢視図である。図示するように、照明器具１０は、トンネルなどの内壁に設けられたアンカーボルト（図示せず）に取り付けられた基台６に元々固定されている。つまり、照明器具１０は、壁面から離間した位置に、支持用の基台６を介して取り付けられている。基台６は、４つの脚部１１ないし１４と基板９とからなる。基板９は脚部１１ないし１４に溶接されている。照明器具１０は、この基板９に図示しないネジ等で背面から固定されている。なお、照明器具１０の前面には、透光性の照明パネル８が金具１５ないし１８により取り付けられている。照明器具１０内部の光源灯１９（図２参照）を取り替える場合には、金具１５，１８の取付ビスを外すと、照明パネル８は、蝶番金具１６，１７により手前に開くようになっている。
【００１５】
本実施形態の照明器具用脱落防止金具１は、既設の照明器具１０に、後から取付られるものであり、照明器具用脱落防止金具１が取り付けられる以前には、照明器具１０は、４つの脚部１１〜１４と基板９とからなる基台６に固定されている。照明器具用脱落防止金具１は、第１ないし第４脚部材２０ないし５０からなる。かかる状態の照明器具１０に対して、次のようにして、照明器具用脱落防止金具１は、取り付けられる。なお、第１ないし第４脚部材２０ないし５０は、第１部材２０ないし５０とも呼ぶ。
【００１６】
まず、既に設けられている脚部１１ないし１４に、第１部材２０ないし５０を挿入するために、それぞれ所定の内径の貫通孔を開ける。この貫通孔の位置は、いずれも照明器具１０と接する面であり、脚部１１，１２に設けられる貫通孔は照明器具１０よりも上方に開けられ、脚部１３，１４に設けられる貫通孔は照明器具１０よりも下方に開けられる。
【００１７】
次に、４つの脚部１１〜１４に、第１ないし第４脚部材２０，３０，４０，５０を取り付ける。つまり、第１ないし第４脚部材２０，３０，４０，５０を、照明器具１０の上辺および下辺の対応する位置に取り付ける。第１ないし第４脚部材２０ないし５０はいずれも同一の構成を有するので、第１脚部材２０を例にとってその構成を説明する。第１脚部材２０は、基台６から照明器具１０の前面に至る長さを有し、一端が折り曲げられている。図４に示すように、第１部材２０は、折り曲げられていないほうの端部である他端には雄ネジ２１が形成されている。なお、図４は、第１部材２０の形状を示す説明図である。
【００１８】
第１脚部材２０は、脚部１１の前述した貫通孔に挿入された後、ナットを用いることにより脚部１１に固定される。脚部１１から照明器具１０の前面に至る第１脚部材２０の長さは、第１脚部材２０に対するナットの相対位置を変えることにより調整可能である。各第１ないし第４脚部材２０ないし５０は、ナットにより対応する脚部１１ないし１４に固定されている。このとき、脚部１１ないし１４の両面にナットが設けられ、ナットの緩みが生じないようにされている。もとより、ナットとして緩み止め機構を付いたものを用いても良い。
【００１９】
第１ないし第４脚部材２０ないし５０の折り曲げられた短い側が、照明器具１０の表面と接するように、その長さを調整し、固定用のナット等を締めて、第１ないし第４脚部材２０ないし５０が、照明器具１０を上下方向から挟持する状態とする。このため、仮に、照明器具１０の取り付けのために元から用いられていた基板９が、長期間の使用により痛んだり腐食したりして、基板９による照明器具１０の固定が困難になっても、第１ないし第４脚部材２０ないし５０からなる照明器具用脱落防止金具１が照明器具１０をしっかりと保持しているので、照明器具１０が脱落することを抑制できる。
【００２０】
Ｂ.第２実施形態：
次に本発明の第２実施形態について説明する。第２実施形態の照明器具用脱落防止金具１０５の構成を図５ないし図７に示した。図５は、既設の照明器具１００に第２実施形態の照明器具用脱落防止金具１０５を取り付けた状態を、上面及び正面からの図示により示す説明図である。図６は、同様の状態を側面から示す側面図である。
【００２１】
図示するよう、本実施形態の照明器具用脱落防止金具１０５は、第１ないし第４脚部材１２０ないし１５０を備える。照明器具１００の既設の基台１０６を構成する脚部１１１ないし１１４は、第１実施形態において基台６を構成していた脚部１１ないし１４と同一のものである。第２実施形態の照明器具用脱落防止金具１０５は、第１実施形態の照明器具用脱落防止金具１と比較して、脚部１１１ないし１１４と、それぞれ対応する第１部材１２２，１３２，１４２，１５２とをそれぞれ挟み込む挟持具２２０，２３０，２４０，２５０を備える。さらに、照明器具用脱落防止金具１０５は、連結具である連結ボルト１２５，１３５を備える。
【００２２】
第１ないし第４脚部材１２０ないし１５０は、いずれも同じ構造を有するので、以下、第２脚部材１３０を例にして説明する。第２脚部材１３０は、脚部１１２に接続される第１部材１３２を有する。この第１部材１３２は、挟持部材２３０を用いて、脚部１１２に連結される。挟持部材２３０は、図７に示したように、板材を１８０度、所定の隙間ＧＰを空けて折り返した形状をしており、その平面図に示すように、隙間ＧＰを空けて向き合った一方の挟持板２３３に二つの穴が開けられ、他方の挟持板２３４に一つの穴が開けられている。挟持板２３３の２つの穴のうち、他方の挟持板２３４に対応する穴がない方の穴には、ナット２３２が溶接されており、ここに止めネジ２３１が螺合される。挟持板２３４に設けられた穴には、ナット２３６が同様に溶接されている。このナット２３６には、他方の挟持板２３３の貫通孔を介して、止めネジ２３５が螺合される。
【００２３】
この挟持部材２３０を用いた第１部材１３２の取り付けについて説明する。照明器具１００が取り付けられている基台１０６の脚部でもある第２脚部材１３０の脚部１１２を、この挟持部材２３０の隙間ＧＰに迎え入れるように、挟持部材２３０を、脚部１１２に取り付ける。このとき、止めネジ２３５は外されている。隙間ＧＰの奥まで脚部１１２を挿入した状態で、次に挟持部材２３０の隙間ＧＰに第１部材１３２を差し入れる。第１部材１３２端には、貫通孔が設けられているので、止めネジ２３５を、挟持板２３３の貫通孔と第１部材１３２の貫通孔に通し、最後にナット２３６に螺合させる。止めネジ２３５を締めることで、挟持部材２３０は、第１部材１３２を挟持し、両者は確実に固定される。
【００２４】
この状態では、まだ他方の止めネジ２３１は締付けられていないが、挟持部材２３０は、第１部材１３２に固定されているから、挟持部材２３０が脚部１１２から脱落することはない。そこで、第１部材１３２と挟持部材２３０とを移動して、第１部材１３２の先端が照明器具１００の照明パネルを把持するように、その位置を調整する。その後、止めネジ２３１を強く締め込み、その位置で、挟持部材２３０を脚部１１２に固定する。
【００２５】
以上説明した第２脚部材１３０と同様に、第１脚部材１２０の第１部材１２２は、基台１０６の一部である脚部１１１を挟み込んだ挟持具２２０に固定され、第３脚部材１４０の第１部材１４２は、脚部１１３を挟み込んだ挟持具２４０に固定され、第４脚部材１５０の第１部材１５２は、脚部１１４を挟み込んだ挟持具２５０に固定される。第１部材同士は、締結具により照明器具１００の背面側で連結されている。つまり、第１部材１２２と第１部材１５２とは連結ボルト１２５で連結され、第１部材１３２と第１部材１４２とは連結ボルト１３５で連結されている。連結ボルト１２５，１３５はいずれも両端に雄ネジが形成されたボルトである。連結具による連結の手法について連結ボルト１２５を用いて説明する。第１部材１２２に予め設けられた貫通孔（図示せず）に連結ボルト１２５を通し、第１部材１５２に予め設けられた貫通孔（図示せず）に通して，ナットを取り付け、締め付ける。このとき、第１部材１５２の両面にナットが設けられ、ナットの緩みが生じないようにされている。
【００２６】
連結ボルト１２５，１３５のナットによる固定位置を調整することにより、第１部材１２２，１３２，１４２，１５２は、照明器具１００の側面に接し、更に照明器具１００の側面に押しつけられる。このため、照明器具１００は、照明器具用脱落防止金具１０５により、しっかりと保持されることになる。
【００２７】
以上説明した第２実施形態の照明器具用脱落防止金具１０５では、第１実施形態との照明器具用脱落防止金具１と同様に、照明器具１００の脱落を防止できる。照明器具１００の脱落は、照明器具１００を基台に規定している部分が腐食したりして起きることが多く、４箇所でアンカーボルトに固定された基台自体が脱落することは少ないので、このような実施形態をとっても、照明器具１００の脱落は十分に防止できる。また、この実施形態でも、止めネジ２３１を緩めれば、第２脚部材１３０は前後に移動可能となるので、他の脚部材も同様に緩めて、照明パネルの開閉を行なうことができる。このとき、各脚部材は前後に移動できるが、第１部材は挟持具に固定されているので、脚部１１１ないし１１４から脱落することがない。
【００２８】
Ｃ．変形例：
以上説明した第１，第２実施形態では、脚部材は、照明器具の上下にそれぞれ２箇所ずつ設け二組としたが、上下１箇所にそれぞれ設け、一組としてもよい。あるいは３組以上としても良い。更に下に２箇所、上に１箇所のように、異なる数の脚部材を配置しても良い。連結ボルトは、上下の脚部材を連結できれば良く、必ずしも他の連結ボルトと平行に設置する必要はない。
【００２９】
第２実施形態では、挟持部材２３０等は板材を折り曲げて形成したが、削り出しにより、同様の形状に形成しても良い。また挟持部材２３０等は、止めネジにより、脚部１１２等に固定したが、溶接しても差し支えない。この場合、第１部材１３２等の位置の調整は、第１部材１３２に設けた貫通孔を長孔にしておけば可能である。
【００３０】
第１実施形態において、第１ないし第４脚部材２０ないし５０を形成する各板材の厚みは、脚部１１ないし１４などの板材の厚みと同等でも良く、より厚い板材を用いるものとしても良い。また、板材は、ステンレスでも良いし、メッキや塗装などを施した鋼材でも良い。第１，第２実施形態では、脚部材は、既設の基台の内側に設けたが、外側としても良い。
【００３１】
以上本発明のいくつかの実施形態について説明したが、本発明は、こうした実施形態に何ら限定されるものではなく、本発明の要旨を逸脱しない範囲内において、種々の形態で実施できることは勿論である。
【符号の説明】
【００３２】
１，１０５…照明器具用脱落防止金具
６，１０６…基台
８…照明パネル
９…基板
１０，１００…照明器具
１１，１２，１３，１４…脚部
１５，１６，１７，１８…金具
１９…光源灯
２０,３０，４０，５０…第１部材
２１…雄ネジ
１１１，１１２，１１３，１１４…脚部
１２０…第１脚部材
１２２，１３２，１４２，１５２…第１部材
１２５，１３５…連結ボルト
１３０…第２脚部材
１４０…第３脚部材
１５０…第４脚部材
２２０，２３０，２４０，２５０…挟持具
２３１…ネジ
２３２…ナット
２３３，２３４…挟持板
２３５…ネジ
２３６…ナット
ＧＰ…隙間
【要約】
【課題】トンネル内などに既設の照明器具の脱落を防止する。
【解決手段】壁面から離間した位置に、支持用の基台を介して取付けられた照明器具用脱落防止金具を提供する。この金具は、前記基台に取り付けられ、前記照明器具の少なくとも上辺および下辺の対応する位置に設けられており、前記基台から前記照明器具の前面に至る長さを有し、その先端が折り曲げられていることにより前記照明器具を保持する第１部材を備える。
【選択図】図１【図１】
0005974156.tif 000002
【図２】
0005974156.tif 000003
【図３】
0005974156.tif 000004
【図４】
0005974156.tif 000005
【図５】
0005974156.tif 000006
【図６】
0005974156.tif 000007
【図７】
0005974156.tif 000008